(57)【特許請求の範囲】
【請求項１】
水分を受け入れ、一時的に水分を貯留可能な一時貯留部を備えた一時貯留設備において、
前記一時貯留部は、側壁と底面を有し、その上部に植栽部、平板又は砂利が設けられていると共に、前記側壁で囲まれた空間内に、前記底面を上下に貫通する貫通部を有し、
前記貫通部の周囲が貫通部壁で囲まれており、
少なくとも、前記底面に当接し、且つ前記貫通部壁を跨いで前記貫通部に挿通する排水部材が設けられていることを特徴とする一時貯留設備。
【請求項２】
水分を受け入れ、一時的に水分を貯留可能な一時貯留部を備えた一時貯留設備において、
前記一時貯留部は、側壁と底面を有すると共に、前記側壁で囲まれた空間内に、前記底面を上下に貫通する貫通部を有し、
前記貫通部の周囲が前記側壁と一体で貫通部壁に囲まれており、
少なくとも、前記底面に当接し、且つ前記貫通部壁を跨いで前記貫通部に挿通する排水部材が設けられていることを特徴とする一時貯留設備。
【請求項３】
水分を受け入れ、一時的に水分を貯留可能な一時貯留部を備えた一時貯留設備において、
前記一時貯留部は、側壁と底面を有すると共に、前記側壁で囲まれた空間内に、前記底面を上下に貫通する貫通部を有し、
前記貫通部の周囲が貫通部壁で囲まれて該貫通部の内部が中空状態に形成されており、
少なくとも、前記底面に当接し、且つ前記貫通部壁を跨いで前記貫通部に挿通する排水部材が設けられていることを特徴とする一時貯留設備。
【請求項４】
水分を受け入れ、一時的に水分を貯留可能な一時貯留部を備えた一時貯留設備において、
前記一時貯留部は、側壁と底面を有すると共に、前記側壁の一部に内側にへこんだ凹部が設けられ、
少なくとも、前記底面に当接し、且つ前記側壁を跨いで外部に到達する排水部材が前記凹部内に設けられていることを特徴とする一時貯留設備。
【請求項５】
水分を受け入れ、一時的に水分を貯留可能な一時貯留部を備えた一時貯留設備において、
前記一時貯留部は、側壁と底面を有すると共に、前記側壁の一部に外側に突出した突出部が複数設けられ、
少なくとも、前記底面に当接し、且つ隣接する前記突出部の間に位置する側壁を跨いで外部に到達する排水部材が設けられていることを特徴とする一時貯留設備。
【請求項６】
前記一時貯留部を複数段積み重ねることにより、前記貫通部、前記凹部又は前記突出部相互間が平面視同一位置に配置されることを特徴とする請求項１乃至５の何れか一項に記載の一時貯留設備。
【請求項７】
水分を受け入れ、一時的に水分を貯留可能な一時貯留部を敷設面に敷設してなる一時貯留施設において、
前記一時貯留部は、側壁と底面を有すると共に、前記側壁で囲まれた空間内に、前記底面を上下に貫通する貫通部を有し、
前記貫通部の周囲が貫通部壁で囲まれており、
少なくとも、前記底面に当接し、且つ前記貫通部壁を跨いで前記貫通部に挿通する排水部材が設けられ、
前記排水部材により、前記一時貯留部の水分が前記敷設面に排水されるようになっていることを特徴とする一時貯留施設。
【発明の詳細な説明】
【技術分野】
【０００１】
本発明は、一時貯留設備及び一時貯留施設に関し、例えば、水分を受け入れ、一時的に水分を貯留可能な一時貯留部を備え、特に雨水等の流出を抑制して都市型洪水を防止することができる一時貯留設備及び一時貯留施設に関する。
【背景技術】
【０００２】
近年、多くの地域において都市化の進展が著しいが、一般に都市化された地域では道路や建物等がコンクリート等の保水性の悪い材料で覆われているため、雨水を貯留する能力が著しく低下しており、下水道の普及とも相俟って、雨水が下線へ淘汰する時間が短くなっている。そのため、都市化の進展に伴って都市河川が氾濫する都市型洪水が頻繁に発生しており、都市浸水災害の増大が大きな問題となっている。
そして、都市浸水災害を防止するために、雨水を一時的に貯留する技術が、特許文献１〜３に提案されている。
【０００３】
特許文献１には、植栽可能な植栽部からの余剰水を受け入れる一時貯留部を備えた緑化設備が開示されている。この緑化設備は、一時貯留部に、内部の水を外部に流出させる流出部が設けられていると共に、植栽部と一時貯留部との間に、余剰水を一時貯留部へ流入させる流入部が設けられている。また、流出部と流入部は、流出部から流出可能な単位時間当たりの水分量上限値が流入部から流入可能な単位時間当たりの水分量上限値未満となるように設定されている。
なお、上記の一時貯留部は、上面開放の箱型形状に形成され、その底面に設けられた開口が流出部になっており、開口の数或いは大きさで単位間当たりの水分量上限を調整している。
【０００４】
また、特許文献２には、植物を栽培可能な植栽層の下方に貯水可能な貯水層若しくは保水可能な保水層を設け、その貯水層若しくは保水層の下方に雨水を一時的に貯留可能な一時貯留層を設ける緑化設備で用いられる緑化用構造体が開示されている。この緑化用構造体では、貯水層若しくは保水層を構成する貯水部若しくは保水部と一時貯留層を構成する一時貯留部を有し、貯水部若しくは保水部と一時貯留部とが着脱可能になっている。
また、上記の一時貯留部には、外部へ排水する第２導水手段が設けられている。この第２導水手段は、一時貯留部の底面近傍に設けられた開口部に導水可能な導水部材を充填することにより、単位時間当たりの上限導水速度が調整できるようになっている。
【０００５】
また、特許文献３には、水を貯留する空間を有する貯水容器と、貯水容器の内側に収納され植栽部が載置される保水排水層又は培土と、貯水容器内に設けられ、保水排水層又は培土を支持して貯水容器の底面との間に水を貯留する空間を形成する支持部材と、貯水容器に貯留された水を毛細管現象で排水保水層又は培土へ給水する給水部材と、貯水容器に貯留された水が設定水位を超えると、貯水容器の外へ所定量排水する排水手段とを有している緑化容器が開示されている。この緑化容器は、排水手段が貯水容器の側壁を跨いで外部に露出した状態で設置されている。
【先行技術文献】
【特許文献】
【０００６】
【特許文献１】特開２００２−２４７９１４号公報
【特許文献２】特開２００４−２６１１３５号公報
【特許文献３】特開２００７−１６７０３９号公報
【発明の概要】
【発明が解決しようとする課題】
【０００７】
しかしながら、上述した従来技術は以下に示す課題を有している。
具体的には、特許文献１及び２に記載の技術（緑化設備、緑化用構造体）は、いずれも、一時貯留部の底面近傍から排水する構成であるため、一時貯留部にゴミや土壌等が入った場合、排水がうまくいかなくなる虞があるという課題を有している。すなわち、特許文献１及び２に記載の技術は、ゴミや土壌等の影響により排水性能が悪化するため、長期に亘って一時貯留機能を維持することができない虞がある。更に、特許文献１及び２に記載の技術は、底面からの排水のため、水圧によって排水量が異なってしまい、排水制御がうまくいかなくなる虞がある。
【０００８】
また、特許文献３に記載の緑化容器は、排水手段が貯水容器の側壁を跨いで外部に露出した状態で設置される構成であるため、排水手段の排水性能を確保するために、複数の緑化容器を並べて使用する場合、緑化容器相互に隙間をあけて設置しなければならず容易に施工できないという課題を有している。
また、特許文献３に記載の緑化容器の構成は、仮に緑化容器相互を接触させて並べた場合、或いは、何らかの理由（強風の影響等）で隙間をあけて並べられた緑化容器同士が接触してしまった場合、排水手段が潰れて排水性能が悪化して、最終的に一時貯留部としての機能を失う虞がある。
さらに、特許文献３に記載の緑化容器は、平面視で緑化容器の外周から排水手段が突出して露出しているため、美観を損ねているという課題を有している。
【０００９】
本発明は、上記課題に鑑みてなされたものであり、複数の一時貯留設備を容易に施工でき、長期に亘って一時貯留機能を維持することが可能な、美観に優れた一時貯留設備及び一時貯留施設を提供することを目的とする。
【課題を解決するための手段】
【００１０】
上記課題を解決するためになされた本発明の第１態様は、水分を受け入れ、一時的に水分を貯留可能な一時貯留部を備えた一時貯留設備において、前記一時貯留部は、側壁と底面を有し、その上部に植栽部、平板又は砂利が設けられていると共に、前記側壁で囲まれた空間内に、前記底面を上下に貫通する貫通部を有し、前記貫通部の周囲が貫通部壁で囲まれており、少なくとも、前記底面に当接し、且つ前記貫通部壁を跨いで前記貫通部に挿通する排水部材が設けられていることを特徴とする。
また、本発明の第１態様は、水分を受け入れ、一時的に水分を貯留可能な一時貯留部を備えた一時貯留設備において、前記一時貯留部は、側壁と底面を有すると共に、前記側壁で囲まれた空間内に、前記底面を上下に貫通する貫通部を有し、前記貫通部の周囲が前記側壁と一体で貫通部壁に囲まれており、少なくとも、前記底面に当接し、且つ前記貫通部壁を跨いで前記貫通部に挿通する排水部材が設けられていることを特徴とする。
また、本発明の第１態様は、水分を受け入れ、一時的に水分を貯留可能な一時貯留部を備えた一時貯留設備において、前記一時貯留部は、側壁と底面を有すると共に、前記側壁で囲まれた空間内に、前記底面を上下に貫通する貫通部を有し、前記貫通部の周囲が貫通部壁で囲まれて該貫通部の内部が中空状態に形成されており、少なくとも、前記底面に当接し、且つ前記貫通部壁を跨いで前記貫通部に挿通する排水部材が設けられていることを特徴とする。
尚、排水部材には、例えば、長帯状の不織布等が用いられる。
【００１１】
本発明の第１態様によれば、一時貯留部の底面に当接し、且つ貫通部壁を跨いで貫通部に挿通する排水部材が設けられた構成により、排水部材の毛細管現象により一時貯留部の水分を、一時貯留部の外部に排水させることができる。そのため、本発明の第１態様によれば、一時貯留部に育成材やごみ等が入ってきても、排水機能が損なわれることがなく、水圧による影響もなくなる。
また、本発明の第１態様は、一時貯留部の側壁で囲まれた空間内に設けた貫通部の周囲を囲む貫通部壁に排水部材が設けられており、上述した従来技術（特許文献３）のように排水手段が容器の側壁を跨いで設置される構成（容器の外部に露出する構成）になっていない。したがって、本発明では、排水部材が外部の物に接触して潰れて排水性能が悪化することがなく、安定した排水性能が維持される。また、本発明では、複数の一時貯留設備を並べて使用する場合、隣接して設置する一時貯留設備に、排水部材が接触しないように注意して、一時貯留設備相互に隙間をあけて設置する必要がなく、容易に施工できる。
さらに、本発明の第１態様は、排水部材が一時貯留部の内部に設置されており、上述した従来技術（特許文献３）のように容器の外周から排水手段が突出して露出している構成ではないため、従来技術（特許文献３）のように美観を損ねることがない。
【００１２】
また、本発明の第２態様は、水分を受け入れ、一時的に水分を貯留可能な一時貯留部を備えた一時貯留設備において、前記一時貯留部は、側壁と底面を有すると共に、前記側壁の一部に内側にへこんだ凹部が設けられ、少なくとも、前記底面に当接し、且つ前記側壁を跨いで外部に到達する排水部材が前記凹部内に設けられていることを特徴とする。
【００１３】
また、本発明の第３態様は、水分を受け入れ、一時的に水分を貯留可能な一時貯留部を備えた一時貯留設備において、前記一時貯留部は、側壁と底面を有すると共に、前記側壁の一部に外側に突出した突出部が複数設けられ、少なくとも、前記底面に当接し、且つ隣接する前記突出部の間に位置する側壁を跨いで外部に到達する排水部材が設けられていることを特徴とする。
【００１５】
本発明の第２、３態様によれば、排水部材が一時貯留部の側壁を跨いで設けられており、排水部材の毛細管現象により、一時貯留部の水分を、一時貯留部の外部に排水させることができるため、上記の第１態様と同様、一時貯留部に育成材やごみ等が入ってきても、排水機能が損なわれることがなく、水圧による影響もなくなる。
また、本発明の第２態様では、排水部材が側壁の凹部内に設けられるようになっている（一時貯留部の外側に設置される排水部材が凹部以外の側壁よりも内側に配置されるようになる）。また、第３態様は、排水部材が隣接する突出部の間に位置する側壁を跨いで配置されるようになる（一時貯留部の外側に設置される排水部材が突出部よりも内側に配置されるようになる）。そのため、本発明の第２、３態様によれば、一時貯留部の外側に設置される排水部材が外部の物等に接触して潰れて排水性能が悪化する可能性が低減され、安定した排水性能が維持される。また、本発明の第２、３態様は、上記構成により、複数の一時貯留設備を並べて使用する場合、排水部材が隣接して設置する一時貯留設備に接触しないように注意して、一時貯留設備相互に隙間をあけて設置する必要がない。
また、本発明の第２、３態様は、上記構成により、従来技術（特許文献３）のように容器の外周から排水手段が突出して露出することがないため、従来技術（特許文献３）のように美観を損ねることがない。
【００１６】
また、前記一時貯留部を複数段積み重ねることにより、前記貫通部、前記凹部又は前記突出部相互間が平面視同一位置に配置されることが望ましい。
【００１７】
また、本発明の一時貯留施設は、水分を受け入れ、一時的に水分を貯留可能な一時貯留部を敷設面に敷設してなる一時貯留施設において、前記一時貯留部は、側壁と底面を有すると共に、前記側壁で囲まれた空間内に、前記底面を上下に貫通する貫通部を有し、前記貫通部の周囲が貫通部壁で囲まれており、少なくとも、前記底面に当接し、且つ前記貫通部壁を跨いで前記貫通部に挿通する排水部材が設けられ、前記排水部材により、前記一時貯留部の水分が前記敷設面に排水されるようになっていることを特徴とする。
【発明の効果】
【００１８】
本発明によれば、美観に優れており、複数の一時貯留設備を複数並設させたとしても容易に施工でき、長期に亘って一時貯留機能を維持することができる一時貯留設備及び一時貯留施設を提供することができる。
【図面の簡単な説明】
【００１９】
【図１】本発明の第１実施形態の一時貯留設備を構成する植物栽培部を説明するための図であり、（ａ）は植物栽培部の底面図であり、（ｂ）は植物栽培部の平面図である。
【図２】図１（ｂ）に示した植物栽培部のＡ−Ａ線断面図である。
【図３】本発明の第１実施形態の一時貯留設備を構成する貯水部を説明するための図であり、（ａ）は貯水部の底面図であり、（ｂ）は貯水部の平面図である。
【図４】図３（ｂ）に示した貯水部のＢ−Ｂ線断面図である。
【図５】本発明の第１実施形態の一時貯留設備を構成する一時貯留部を説明するための図であり、（ａ）は一時貯留部の底面図であり、（ｂ）は一時貯留部の平面図である。
【図６】図５（ｂ）に示した一時貯留部のＣ−Ｃ線断面図である。
【図７】本発明の第１実施形態の一時貯留設備の側面分解説明図である。
【図８】本発明の第１実施形態の一時貯留設備の側面を示す模式図である。
【図９】本発明の第１実施形態の一時貯留設備における水の流れを説明するための模式図である。
【図１０】本発明の第１実施形態の一時貯留施設を示す側面図である。
【図１１】本発明の第２実施形態の一時貯留設備を構成する一時貯留部を説明するための図であり、（ａ）は一時貯留部の平面図であり、（ｂ）は図１１（ａ）に示す一時貯留部に排水部材を設けた状態を示した平面図である。
【図１２】本発明の第３実施形態の一時貯留設備を構成する一時貯留部を説明するための図であり、（ａ）は貯水部の平面図であり、（ｂ）は図１２（ａ）に示す一時貯留部のＤ−Ｄ線断面図である。
【図１３】本発明の第３実施形態の一時貯留設備を示す模式図であり、（ａ）は第３実施形態の第１例の一時貯留設備を示す模式図であり、（ｂ）は第３実施形態の第２例の一時貯留設備を示す模式図であり、（ｃ）は第３実施形態の第３例の一時貯留設備を示す模式図である。
【図１４】本発明の第１実施形態の一時貯留部を重ねた設置例を示した模式図であり、（ａ）は一時貯留部を２段重ねた例を示した模式図であり、（ｂ）は一時貯留部を３段重ねた例を示した模式図である。
【図１５】本発明の第２実施形態の一時貯留部の変形例を説明するための模式図である。
【発明を実施するための形態】
【００２０】
以下、本発明の実施形態（第１〜３実施形態）の一時貯留設備及び一時貯留施設について説明する。尚、本発明の一時貯留設備及び一時貯留施設は、以下に示す各実施形態に限定されるものではなく、各実施形態の各構成要件を組み合わせ或いは組み替える構成や、各実施形態の各構成要件を削除するなど本発明の要旨の範囲内の全ての構成が含まれる。
【００２１】
《第１実施形態》
先ず、本発明の第１実施形態について、図１〜１０を用いて説明する。
【００２２】
本発明の第１実施形態の一時貯留設備Ｗ１は、図９に示すように、敷設面ＧＬに敷設される一時貯留部４０と、一時貯留部４０の上に設けられる貯水部２０と、貯水部２０の上に設けられる植物栽培部１０とを備えている。
【００２３】
植物栽培部１０には、育成材６０が充填され、その育成材６０に植物Ｐが植栽できるようになっている。
また、貯水部２０は、植物栽培部１０に植栽された植物Ｐに供給する水分を貯水するものであり、雨水等の水分が貯水されるようになっており、貯水された水が、後述する吸水棒１９を介して植物Ｐに供給されるようになっている。
また、一時貯留部４０は、集中豪雨等により、貯水部２０の水分が一定量以上になった場合に、一定量をオーバーした水分を一時的に貯水すると共に、貯水した水分を徐々に敷設面ＧＬに排水するものであり、一時的に降雨を貯めて都市型洪水等を防ぐ役割を果たしている。
以下、第１実施形態の一時貯留設備Ｗ１の各構成部を順次説明していく。
【００２４】
先ず、植物栽培部１０の構成について図１、２を用いて説明する。
図示するように、植物栽培部１０は、底面１０ａと側壁１０ｂとを有する上面開口の矩形箱型（図示する例では、平面視略正方形の底面１０ａと、底面１０ａの各辺から上方に延設された側壁１０ｂとを有する箱型）に形成されており、内部に育成材６０を充填可能な構造となっている。この底面１０ａには余剰水を下方に排水するスリット状の排水孔１０ｃが穿設されている。
また、底面１０ａには、上方に延びる平面視略十字形の柱状部材１１ａが複数立設している。また、底面１０ａには、側壁１０ｂに沿って平面視略十字状の柱状部材１１ｂと、略Ｉ字状の柱状部材１１ｃとが複数立設している。これらの柱状部材１１ａ、１１ｂ、１１ｃにより、上部からの踏圧による育成材６０の固化が防止される構造となっている。尚、図示する例では、柱状部材１１ａ、１１ｂ、１１ｃは、側壁１０ｂよりも低い高さ寸法になっている。
【００２５】
また、複数の柱状部材１１ａの内の４つには、平面視略十字状の交点の位置に平面視円形の筒状部１２が立設しており、筒状部１２の底面には後述する固定ビスを挿通可能なビス固定孔１２ａが穿設されている。また、底面１０ａには下方に突出する突出凹部１３が形成され、この突出凹部１３の略中央には吸水棒１９（図７参照）を取り付けるための取付孔１３ａが穿設され、この取付孔１３ａに吸水棒１９が取り付けられるようになっている。取付孔１３ａに取り付けられた吸水棒１９が、毛細管現象により貯水部２０から水分を吸い上げて植物栽培部１０に導水する構成になっている。
【００２６】
また、側壁１０ｂの下端には、底面１０ａよりも下方に突出する脚部１５が設けられている。
また、隣り合う２側壁１０ｂ・１０ｂの外面には２つの突部１６と１つの突部（図示せず）が設けられている。尚、同じように後述する貯水部２０及び一時貯留部４０の隣り合う２側壁にも２つの突部と１つの突部が設けられている。各部（植物栽培部１０、貯水部２０、一時貯留部４０）の側壁に設けた突部は、一時貯留設備Ｗを形成する際に位置決めの目印になる。具体的には、一時貯留設備Ｗを形成する際に、２つの突部が同じ側面に位置するように、１つの突部も同じ側面に位置するように施工すると、施工間違いなく施工することができるようになる。
【００２７】
次に貯水部２０の構成について図３、４を用いて説明する。
図示するように、貯水部２０は、底面２０ａと側壁２０ｂとを有する上面開口の矩形箱型（図示する例では、平面視略正方形の底面２０ａと、底面２０ａの各辺から上方に延設された側壁２０ｂとを有する箱型）に形成されており、内部に水分を貯めることが可能な構造となっている。
また、底面２０ａには、上方に延びる平面視略十字状の柱状部材２１ａが複数立設している。また、底面２０ａには、側壁２０ｂに沿って平面視略Ｉ字状の柱状部材２１ｂと、平面視Ｅ字状の柱状部材２１ｃとが複数立設している。そして、植物栽培部１０からの踏圧を一連の柱状部材２１ａ、２１ｂ、２１ｃで支持する構造となっている。尚、図示する例では、柱状部材２１ａ、２１ｂ、２１ｃは、側壁２０ｂと同じ高さか僅かに低い高さ寸法になっている。
【００２８】
また、底面２０ａには、底面２０ａから上方に延びる筒状のオーバーフロー部２６が形成されている。このオーバーフロー部２６は、上部に孔２６ａが穿設され上下に貫通した構成になっている（筒状の内側の底面１０ａが開口している）。この構成により、貯水部２０に水分が一定以上貯まった場合に後述する一時貯留部４０に水が排水されるようになる。尚、オーバーフロー部２６は側壁よりも低く形成されている。
【００２９】
また、底面２０ａの一部に平面視略円形の凹部２３が形成されており、この凹部２３内に植物栽培部１０の突出凹部１３に取り付けられる吸水棒１９が略当接するようになっており、貯水部２０内の水分をより多く吸上げ可能な構造となっている。
【００３０】
また、植物栽培部１０のビス固定孔１２ａに対応する位置に、中空で上方に立設する筒状突出部２２が形成され、この筒状突出部２２の上端に孔２２ａが穿設されている。この孔２２ａにビスが挿通されて、後述する一時貯留部４０の筒状突出部４２の上端までビスが導かれる構造となっている。
尚、筒状突出部２２の周りには四つの補強のための補強用リブ２４が形成されている。また、筒状突出部２２の周りの底面２０ａは下方にへこんだへこみ部２０ａ１が形成されており、敷設面ＧＬに敷設した場合にへこみ部２０ａの底面が敷設面（或いは、下方に配置される一時貯留部４０）に当接する構造となっている。
【００３１】
また、貯水部２０の側壁２０ｂで囲まれた空間内には、底面２０ａを上下に貫通する貫通部２７が形成されている。具体的には、貯水部２０の箱内の四隅部に、底面２０ａを上下に貫通する平面視矩形の貫通部２７が形成されていると共に、側壁２０ｂと一体に貫通部２７を囲むように貫通部壁２８が形成されている。また、貫通部２７を囲む側壁２０ｂ及び貫通部壁２８には、植物栽培部１０の脚部１５が嵌合するための脚部嵌合凹部３５（図４参照）が形成されている。
尚、貫通部壁２８は側壁２０ｂと同じ高さ寸法か僅かに低い高さ寸法になっている。
【００３２】
また、４側壁のうちの一の側壁２０ｂには隣り合う貯水部２０と連係及び水分を流水可能な流水部２９が形成されていると共に、この流水部２９を有する側壁２０ｂと対向する側壁２０ｂに、流水部２９を係合可能な被係合用凹部３１が形成されている。また、柱状部材２１ａ、２１ｂ、２１ｃが立設している箇所、四隅等には底面２０ａから下方に向かって脚部２５が突出しており、側壁２０ｂが浮いた状態で、脚部２５、へこみ部２０ａ１及び凹部２３の共働により支持する構造となっている。
【００３３】
次に一時貯留部４０の構成について図５、６を用いて説明する。
一時貯留部４０は、上述した貯水部２０と略同じ構造となっている。そのため、以下では簡略化して説明する（一時貯留部４０は、上述したオーバーフロー部２６以外、貯水部２０と同じである）。
【００３４】
図示するように、一時貯留部４０は、底面４０ａと側壁４０ｂとを有する上面開口の矩形箱型に形成されており、内部に水分を貯めることが可能な構造となっている。この底面４０ａ及び側壁４０ｂの構造は、貯水部２０の底面２０ａ及び側壁２０ｂと同じである。
また、底面４０ａには、平面視略十字状の柱状部材４１ａと、平面視略Ｉ字状の柱状部材４１ｂと、平面視Ｅ字状の柱状部材４１ｃとが複数立設している。なお、柱状部材４１ａ、４１ｂ、４１ｃは、貯水部２０の柱状部材２１ａ、２１ｂ、２１ｃと同じである。
【００３５】
また、底面４０ａには、底面４０ａから上方に延びる筒状で且つ上面が閉鎖された筒状部４６が形成されている。この筒状部４６は、上部に孔が穿設されていない以外は、貯水部２０のオーバーフロー部２６と同じ形状である。
また、底面４０ａの一部に平面視略円形の凹部４３が形成されている。この凹部４３は、貯水部２０の凹部２３と同じ形状である。
【００３６】
また、底面部４０ａには、上述した貯水部２０の筒状突出部２２に対応する位置に、筒状突出部２２と同様の筒状突出部４２が形成されている。この筒状突出部４２の上端には孔４２ａが穿設されている。また、筒状突出部４２の周りには、上述した貯水部２０の補強用リブ２４と同様の構造の補強用リブ４４が形成されている。また、筒状突出部４２の周りの底面４０ａは、下方にへこんだへこみ部４０ａ１が形成されている。このへこみ部４０ａ１には、貯水部２０のへこみ部２０ａ１と同じである。
【００３７】
また、一時貯留部４０の四隅部には、底面４０ａを上下に貫通する平面視矩形の貫通部４７が形成されていると共に、側壁４０ｂと一体に貫通部４７を囲むように貫通部壁４８が形成されている。また、貫通部４７を囲む側壁４０ｂ及び貫通部壁４８には、貯留部２０の脚部２５が嵌合するための脚部嵌合凹部５５（図６参照）が形成されている。なお、貫通部４７、貫通部壁４８、脚部嵌合凹部５５は、貯水部２０の貫通部２７、貫通部壁２８、脚部嵌合凹部３５と同じ構造である。
【００３８】
また、４側壁のうちの一の側壁４０ｂには隣り合う一時貯水部４０と連係及び水分を流水可能な流水部４９が形成されていると共に、この流水部４９を有する側壁４０ｂと対向する側壁４０ｂに、流水部４９を係合可能な被係合用凹部５１が形成されている。また、柱状部材４１ａ、４１ｂ、４１ｃが立設している箇所、四隅等には底面４０ａから下方に向かって脚部４５が突出している。なお、流水部４９、被係合用凹部５１、脚部４５は、貯水部２０の流水部２９、被係合用凹部３１、脚部２５と同じである。
【００３９】
次に、植物栽培部１０、貯水部２０、一時貯留部４０により構成される一時貯留設備Ｗ１について図７〜９を用いて説明する。
図示するように、一時貯留設備Ｗ１を敷設面ＧＬに敷設する場合、敷設面ＧＬ上に一時貯留部４０を敷設し、その上に平面視同一位置に貯水部２０を載置し、その上に、平面視ずらした状態で植物栽培部１０を載置する。
【００４０】
具体的には、図７に示すように、先ず、一時貯留部４０の箱内の貫通部４７を囲む貫通部壁４８に、貫通部壁４８を跨ぐように排水部材５０を設置する（掛け渡す）。この排水部材５０は、例えば、長帯状の不織布であり、その一端が一時貯留部４０の底面４０ａに当接し、その他端が貫通部４７の下端近傍に位置するように、貫通部壁４８を跨いで貫通孔４７に挿通するように設けられている。
尚、一時貯留部４０の底面４０ａは、脚部４５により敷設面ＧＬより浮いた状態で維持される。そのため、排水部材５０の一端が他端よりも高い位置になるように設置することで、排水部材５０の毛細管現象により一時貯留部４０に貯まった水分の殆どを排水することが可能になる。
尚、一時貯留部４０を敷設面ＧＬに敷設する際には、底面４０ａのへこみ部４０ａ１に接着剤又は粘着剤などを塗布し、敷設面ＧＬに固定する。
【００４１】
次に、一時貯留部４０の上に貯水部２０を載置し、その後、貯水部２０の上に、吸水棒１９を取り付けた植物栽培部１０を載置する（図８に示す状態にする）。最後に、植物栽培部２０の筒状突出部２２に長いビスを打ち込み、ビスを貯水部２０の筒状突出部２２の孔２２ａに貫通させ、且つ一時貯留部４０の筒状突出部４２の孔４２ａにねじ込ませる。これにより、植物栽培部１０と貯水部２０は、敷設面ＧＬに固定された一時貯留部４０と一体化され、結果的に敷設面ＧＬに固定されるようになる。
【００４２】
尚、図９に示すように、植物栽培部１０に育成材６０を充填して、その育成材６０に植物Ｐを植栽することになるが、上記の作業を行った後に育成材６０を充填して植栽を施しても良く、また予め植物栽培部１０に育成材６０だけ充填しておき、上記作業を行った後に植栽だけを施す、或いは予め植物栽培部１０に育成材６０を充填し、且つ植栽を施した後に、上記作業を行う等適宜である。
【００４３】
次に、第１実施形態の一時貯留設備Ｗ１の一時的に降雨を貯める機能について図９を参照しながら説明する。尚、図中の矢印が水の流れを示している。
図示するように、植物Ｐの上方からの雨水が排水孔１０ｃや植物栽培部１０の側壁１０ｂから貯水部２０に落下し、貯水部２０に水分が貯められるようになっている。この貯められた水は、晴天時には吸水棒１９を介して植物Ｐに供給される。また、降雨が多い場合に、貯水部２０の水分が一定量以上（貯水部２０の水分がオーバーフロー部２６の上端よりも高い水位）となると、オーバーフロー部２６の孔２６ａから一時貯留部４０に排水され、一時貯留部４０に水分が導かれる。一時貯留部４０の水は、排水部材５０により徐々に敷設面ＧＬに排水されることとなるが、集中豪雨等の影響により、オーバーフロー部２６からの水分の排水量が排水部材５０の排水量よりも多くなると、一時貯留部４０に徐々に水分が貯まり、一時的に降雨を貯める機能を発揮することとなる。その後、雨がやんだ場合は、徐々に一時貯留部４０の水分が排水部材５０により排水され、最終的には一時貯留部４０は空に近い状態となり、次の集中豪雨に備えることが可能となっている。
【００４４】
このように、第１実施形態では、箱状に形成された一時貯留部４０の箱内の四隅部に、底面４０ａを上下に貫通する貫通部４７が設けられていると共に、側壁４０ｂと一体に貫通部４７を囲む貫通部壁４８が形成されている。そして、排水部材５０は、その一端が一時貯留部４０の底面４０ａに当接し、その他端が貫通部４７の下端近傍に位置するように、貫通部壁４８を跨いで貫通孔４７に挿通するように設置されている。すなわち、第１実施形態では、排水部材５０が貫通部壁４８を跨いで設けられ、排水部材５０の毛細管現象により一時貯留部４０の水分が敷設面ＧＬに排水されるため、一時貯留部４０に育成材やごみ等があったとしても、排水機能が損なわれることがない。
【００４５】
また、第１実施形態では、排水部材５０が一時貯留部４０の箱内に設けた貫通部壁４８に設置されており、上述した従来技術（特許文献３）のように排水手段が側壁を跨いで設置される構成（容器の外部に露出する構成）になっていない。
したがって、第１実施形態では、排水部材５０が外部の物（例えば、隣接して設置する一時貯留設備Ｗ１）に接触して潰れて排水性能が悪化する虞がなく、安定した排水性能が維持される。また、上記構成によれば、複数の一時貯留設備Ｗ１を設置する場合に、排水部材５０が接触しないように注意して、一時貯留設備Ｗ１相互に隙間をあけて設置する必要がなく、従来技術（特許文献３）と比べて、施工が容易になる。
さらに、第１実施形態では、排水部材５０が容器の外周に露出している構成ではないため、従来技術（特許文献３）のように美観を損ねることがない。
【００４６】
また、図１０に示すように、上記の一時貯留設備Ｗ１を複数並設すると一時貯留施設Ｚが完成し、緑化と一時貯留施設とを一体で形成することが可能となる。
【００４７】
以上、第１実施形態の一時貯留設備Ｗ１を使用することにより、排水部材５０が外部に露出せずに、美観に優れた一時貯留設備Ｗ１及び一時貯留施設Ｚを提供することが可能となり、長期に亘って安定した一時貯留機能を発揮することが可能となる。
【００４８】
また、一時貯留部４０の四隅に貫通部４７を形成することにより、勾配がある箇所であっても、勾配の低い側の貫通部４７に排水部材５０を設ければよく、確実に一時貯留部４０の水分を排水することが可能となっている。
【００４９】
また、第１実施形態では、排水部材５０の設置数によって、排水能力を調整することが可能となり、ユーザの期待にそえる機能（排水速度を容易に変えられる）を有する一時貯留設備Ｗ１及び一時貯留施設Ｚを提供することが可能となる。
【００５０】
《第２実施形態》
次に、本発明の第２実施形態の一時貯留設備について図１１を用いて説明する。
ここで、図１１は、本発明の第２実施形態の一時貯留設備を構成する一時貯留部を説明するための図である。
【００５１】
尚、第２実施形態の一時貯留設備Ｗ１は、第１実施形態の一時貯留設備Ｗ１の一時貯留部４０の構成を一部変更したものであり、植物栽培部１０及び貯水部２０は第１実施形態と同じである。そのため、以下では第１実施形態と異なる構成を詳細に説明し、同じ構成の説明は省略する。また、以下の第２実施形態の説明では、第１実施形態と同じ構成及び相当する構成には、同じ符号を付けている。
【００５２】
図示するように、第２実施形態の一時貯留部４０は、側壁４０ｂの一部に内方にへこんでいる凹部７０を設け、この凹部７０に側壁４０ｂを跨いだ状態の排水部材５０を設ける構成となっている。具体的には、排水部材５０は、その一端が一時貯留部４０の底面４０ａに当接し、その他端が側壁４０ｂを跨いで外部に到達するように凹部７０内に設けられている。
【００５３】
また、図１１（ｂ）に示すように排水部材５０の厚みは、凹部７０のへこみよりも薄くなるように構成されており、一時貯留施設Ｗ１を構成した場合に、排水部材５０が凹部７０に収容され、凹部７０以外の側壁よりも内側に配置されるようになっている。この構成により、排水部材５０が一時貯留部４０の側壁４０ｂ相互に挟まれてしまうことを未然に防止し、長期に亘って排水性能を維持することが可能となっている。
なお、図中では、貫通部４７及び貫通部壁４８が設けられている例を示しているが、第２実施形態では貫通部４７及び貫通部壁４８が設けられていない構成でも良い。
【００５４】
このように、第２実施形態では、排水部材５０は、その一端が一時貯留部４０の底面４０ａに当接し、その他端が側壁４０ｂを跨いで外部に到達するように設けられ、排水部材５０の毛細管現象により一時貯留部４０の水分が敷設面ＧＬに排水されるようになるため、第１実施形態と同様、一時貯留部４０に育成材やごみ等があったとしても、排水機能が損なわれることがない。
また、第２実施形態は、図１１（ｂ）に示すように、排水部材５０が凹部７０内に収納されるようになるため、上述した従来技術（特許文献３）のように「排水手段が外部の物に接触して潰れて排水性能が悪化すること」がなく、安定した排水性能が維持される。
また、第２実施形態は、排水部材５０が凹部７０内に収納されるようになるため、複数の一時貯留設備Ｗ１を並べて使用する場合、隣接して設置する一時貯留設備Ｗ１に排水部材５０が接触しないように注意して、一時貯留設備Ｗ１相互に隙間をあけて設置する必要がない。
さらに、第２実施形態は、排水部材５０が凹部７０内に収納されるようになるため、従来技術（特許文献３）のように美観を損ねることがない。
【００５５】
《第３実施形態》
次に、本発明の第３実施形態の一時貯留設備について図１２及び図１３を用いて説明する。
ここで、図１２は、本発明の第３実施形態の一時貯留設備を構成する一時貯留部を説明するための図である。また、図１３は、本発明の第３実施形態の一時貯留設備を示した模式図である。
【００５６】
尚、第３実施形態は、第１実施形態の一時貯留部４０の構成を一部変更し、植物栽培部１０及び貯水部２０を用いないで構成するものである（第３実施形態は、植物栽培部１０及び貯水部２０が存在しない例である）。
【００５７】
先ず、第３実施形態の一時貯留部８０の構成を説明する。
図１２に示すように、第３実施形態の一時貯留部８０は、底面８０ａと側壁８０ｂを有する上面開口の矩形箱型（図示する例では、平面視略正方形の底面８０ａと、底面８０ａの各辺から上方に延設された側壁８０ｂとを有する箱型）に形成されており、内部に水分を一時的に貯めることが可能な構造となっている。
底面８０ａには、平面視略十字形の柱状部材８１ａが側壁８０ｂと同じ高さまで複数立設していると共に、側壁８０ｂに沿って平面視略Ｉ字状の柱状部材８１ｂが側壁８０ｂと同じ高さまで複数立設し、後述する平板１００或いは砂利１１０などを支持可能な構造となっている。
【００５８】
また、底面８０ａの略中央に円筒状からなる貫通部壁８８を有する貫通部８７が形成されている。貫通部８７は、底面８０ａを上下に貫通しており、その周囲が貫通部壁８８により囲まれている。この貫通部壁８８は、側壁８０ｂよりも低い高さ寸法で形成されている。また、円筒状の貫通部壁８８の周りの底面（外周囲の底面）８０ａには、下方にへこんだへこみ部８０ａ１が形成されていると共に、このへこみ部８０ａ１には円筒状を中心に放射状に下面開放のリブ８４が形成され、排水部材５０により排水された水分がリブ８４の下面を通って効率よく排水可能な構造となっている。また、側壁８０ｂの下面には適宜切欠き（図示せず）を設けた脚部８５が形成されており、この脚部８５により底面８０ａが敷設面ＧＬから浮いた状態で支持されている。
【００５９】
次に、上記の一時貯留部８０を用いた一時貯留設備Ｗ２について、３例を挙げて説明する。
【００６０】
具体的には、第３実施形態の一時貯留設備Ｗ２は、例えば、図１３（ａ）に示すように、一時貯留部８０を敷設面ＧＬに敷設する際に、貫通部壁８８を跨いだ状態で排水部材５０を設け、さらに、一時貯留部８０の上に水分を通すことが可能な平板（透水平板）１００を載置することにより形成される。
ここで、排水部材５０は、その一端が一時貯留部８０の底面８０ａに当接し、その他端が貫通部８７の下端近傍に位置するように、貫通部壁８８を跨いで貫通部８７に挿通するように設けられる。
【００６１】
また、第３実施形態の一時貯留設備Ｗ２は、例えば、図１３（ｂ）に示すように、貫通部壁８８を跨いだ状態で排水部材５０を設けた一時貯留部８０の上に、不織布や孔あき板等からなる支持部材１０２を設置して、その支持部材１０２の上に砂利１１０を載置することにより形成される。
【００６２】
また、第３実施形態の一時貯留設備Ｗ２は、例えば、図１３（ｃ）に示すように、貫通部壁８８を跨いだ状態で排水部材５０を設けた一時貯留部８０の上に、底面に孔のあいた容器１０４を載置し、その中に砂利１１０などを充填する等により形成される。尚、第３実施形態の一時貯留設備Ｗ２を複数並設することにより一時貯留施設を形成することが可能となる。
【００６３】
このように、第３実施形態では、排水部材５０が一時貯留部８０の箱内に設けた貫通部壁８８に設置されているため、排水部材５０が外部の物に接触して潰れて排水機能が損なわれる虞がなく、且つ複数の一時貯留設備Ｗ２を並べて使用する場合、隣接して設置する一時貯留設備Ｗに排水部材５０が接触しないように注意して、一時貯留設備Ｗ２相互に隙間をあけて設置する必要がない。また、第３実施形態では、排水部材５０が一時貯留部８０の箱内に設置されているため、従来技術（特許文献３）のように美観を損ねることがない。
【００６４】
また、第３実施形態の一時貯留設備Ｗ２及び一時貯留施設を使用することにより、植物以外であっても容易に一時貯留設備Ｗ２や一時貯留施設を提供することが可能となる。また、第３実施形態では、貯水部２０が存在しないため、安価に、一時貯留設備Ｗ２や一時貯留施設を提供することが可能となる。
【００６５】
以上説明したように、本発明の第１実施形態〜第３実施形態によれば、美観に優れており、例えば、複数の一時貯留設備を複数並設させたとしても容易に施工でき、長期に亘って一時貯留機能を維持することができる一時貯留設備及び一時貯留施設が提供できる。
【００６６】
なお、本発明は、上述した実施形態に限定されるものではなく、その要旨の範囲内において、様々な拡張及び変形が可能であり、例えば各実施形態及び以下の変形例の構成をそれぞれ組み合わせることが可能である。
【００６７】
例えば、植物栽培部１０、貯水部２０、一時貯留部４０、８０の形状は上記各実施形態の平面視略正方形以外にも適宜である。また、植物栽培部１０、貯水部３０、一時貯留部４０、８０以外にも、災害時に飲料水や生活水として使用できる貯水部を追加する等適宜である。
【００６８】
また、図１４（ａ）、（ｂ）に示すように一時貯留部４０を複数段重ねる構造であっても良く、同じ一時貯留部４０を複数段重ねる（同じでなくても貫通部４７が平面視同一位置にあれば良い）ことにより、平面視同一箇所に貫通部４７が形成され、一連の排水経路が形成されることとなり、ユーザの要望にあった一時貯留設備Ｗ１及び一時貯留施設Ｚを提供することが可能となる。
尚、図１４（ａ）では、上述した第１実施形態において一時貯留部４０を２段重ねた例を示しており、１４（ｂ）は一時貯留部４０を３段重ねた例を示している。
【００６９】
そして、図１４（ａ）、（ｂ）のいずれにおいても、一時貯留部４０が下に存在する上側の一時貯留部４０には、貯水部２０と同様の構成のオーバーフロー部４６０（図４〜６で示した筒状部４６の上面に孔４６１が穿設されたオーバーフロー部４６０）が設けられている。この構成により、上側の一時貯留部４０が満水になると、その下の一時貯留部４０にオーバーフロー部４６０を介して排水されることとなる（最下層の一時貯留部４０は、第１実施形態と同様の構成でよい）。
また、一時貯留部４０から排水される排水部材５０の単位時間当たりの排水速度を各段で異ならせる（上から順次単位時間当たりの排水速度を遅くする、或いは早くする、ランダムに速度を設定する）と、よりユーザの要望にあった一時貯留設備Ｗ１及び一時貯留施設Ｚを提供することが可能となる。尚、単位時間当たりの排水速度を変える方法としては、排水部材５０の断面積を変える、或いは排水部材５０の材質を変える、排水部材５０の数を変える等適宜である。
【００７０】
また、図１４に示す例の場合、オーバーフロー部２６、４６０が平面視同一位置に存在することとなり、一時貯留部４０への水の貯まりが少なくなる虞がある場合は、例えばオーバーフロー部４６０の下面に水を誘導するシート或いは板状部材を設ける、或いは一時貯留部４０を９０度や１８０度回転させて積み重ねることにより、オーバーフロー部４６０の平面視位置がずれるようにする等適宜である。
【００７１】
また、上述した第２実施形態では、一時貯留部４０の側壁４０ｂに凹部７０を設ける構成について説明したが、図１５に示すように、一時貯留部４０の側壁４０ｂに（側壁４０ｂの一部に）外方に突出する突出部９０を複数設け、この突出部９０相互間に排水部材５０を設ける構造であっても良い。
図示する例では、側壁４０ｂに、２つの突出部９０が所定間隔を開けて設けられている。この突出部９０は、排水部材５０の厚み寸法以上に、側壁４０ｂから外方に
突出している。そして、排水部材５０は、その一端が底面４０ａに当接し、且つ２つの突出部９０（隣接する突出部９０）の間に位置する側壁４０を跨いて外部に到達するように設けられている。
【００７２】
また、第１実施形態及び第２実施形態共に、必ずしも植物栽培部１０に育成材６０及び植栽を施す必要はなく、第３実施形態のように平板１００を載置する、或いは砂利１１０を充填する構造であっても良い。また、植物Ｐが耐乾燥性に強い場合などは、必ずしも貯水部２０を設ける必要はなく、一時貯留部４０の上に直接植物栽培部１０を載置しても良く、より安価に一時貯留設備Ｗ１及び一時貯留施設Ｚを提供することが可能となる。
【００７３】
また、各柱状部材（１１ａ〜１１ｃ、２１ａ〜２１ｃ、４１ａ〜４１ｃ、８１ａ、８１ｂ）を適宜或いは全く設けない構成とすることも可能であり、又、柱状部材（１１ａ〜１１ｃ、２１ａ〜２１ｃ、４１ａ〜４１ｃ、８１ａ、８１ｂ）の平面形状はＬ字形、円形、楕円形、多角形等適宜であるが、柱状部材（１１ａ〜１１ｃ、２１ａ〜２１ｃ、４１ａ〜４１ｃ、８１ａ、８１ｂ）は中空部を有しない構造とすると、上に載置されるものの支持強度が上がると共に、一時貯留部４０の貯留用の空間を多くとることができて好適である。
【００７４】
また、一時貯留部４０は、必ずしもユニット化する必要はなく、現場で組み立てる構造であっても良い。
【００７５】
また、第３実施形態の一時貯留部８０を複数敷設し、その上に、不織布等の透水シートを敷設（必要に応じて保水排水層を設ける等適宜である）し、その上に育成材を充填し、植物を植栽する等、第３実施形態で植物Ｐを栽培する構成であっても良い。
【００７６】
また、貫通部４７、８７及び貫通部壁４８、８８の位置、数、形状、高さ等は適宜であり、特に高さの場合は、上端に排水部材５０を跨がせることが可能な凹部を設けると好適であり、貫通部壁４７の上端で上に載置されるものを支持できると共に、排水部材５０も挿通可能で、長期に亘って排水性能を維持可能である。また、必ずしも貫通部壁４８、８８の上端を跨がせる必要はなく、貫通部壁４８、８８に穴を穿設し、その穴に排水部材５０を挿通する構成であっても良い。
【００７７】
また、排水部材５０は、一時貯留部に貯められた水を導水可能なものであればなんであっても良い。
【００７８】
また、上述した全ての実施形態において、一時貯留部４０（或いは一時貯留部８０）と、貯水部２０、植物栽培部１０、支持部材或１０２或いは平板１００とが１対１の関係である必要がなく、１対複数或いは複数対１の関係であっても良い。また、複数は整数倍である必要もない。
【００７９】
また、第１実施形態の一時貯留部４０の筒状部４６は、貯水部２０のオーバーフロー部２６の孔２６ａを蓋で塞ぐ構造、或いは孔２６ａの開いている状態で使用する構造にしても良く、全く同一構成の部材を使用することが可能となる。
【産業上の利用可能性】
【００８０】
本発明の一時貯留設備Ｗ１、Ｗ２及び一時貯留施設Ｚは、建築物の屋上、屋根、ベランダ等の人工地盤上のみならず、地上、地面を掘った地中等に一部埋設して使用することもできる。
【符号の説明】
【００８１】
Ｚ…一時貯留施設
Ｗ１、Ｗ２…一時貯留設備
１０…植物栽培部
１０ａ…底面
１０ｂ…側壁
１０ｃ…排水孔
１１ａ、１１ｂ、１１ｃ…柱状部材
１２…筒状部
１２ａ…ビス固定孔
１３…突出凹部
１３ａ…取付孔
１５…脚部
１６…突部
１９…吸水棒
２０…貯水部
４０…一時貯留部
２０ａ、４０ａ…底面
２０ａ１、４０ａ１…へこみ部
２０ｂ、４０ｂ…側壁
２１ａ、２１ｂ、２１ｃ、４１ａ、４１ｂ、４１ｃ…柱状部材
２２、４２…筒状突出部
２２ａ、４２ａ…孔
２３、４３…凹部
２４、４４…補強用リブ
２５、４５…脚部
２６、４６０…オーバーフロー部
２６ａ、４６１…孔
２７、４７…貫通部
２８、４８…貫通部壁
２９、４９…流水部
３１、５１…被係合用凹部
３５、４５…脚部嵌合凹部
４６…筒状部
５０…排水部材
７０…凹部
８０…一時貯留部
８０ａ…底面
８０ａ１…へこみ部
８０ｂ…側壁
８１ａ、８１ｂ…柱状部材
８４…リブ
８５…脚部
８７…貫通部
８８…貫通部壁
１００…平板
１０２…支持部材
１１０…砂利
【図１】
0006435170.tif 000002
【図２】
0006435170.tif 000003
【図３】
0006435170.tif 000004
【図４】
0006435170.tif 000005
【図５】
0006435170.tif 000006
【図６】
0006435170.tif 000007
【図７】
0006435170.tif 000008
【図８】
0006435170.tif 000009
【図９】
0006435170.tif 000010
【図１０】
0006435170.tif 000011
【図１１】
0006435170.tif 000012
【図１２】
0006435170.tif 000013
【図１３】
0006435170.tif 000014
【図１４】
0006435170.tif 000015
【図１５】
0006435170.tif 000016